(57)【要約】    【課題】  本考案の主な目的は、排出機構の稼働がより安定的になり、電子カードの挿着や排出が、スムーズにできる、カード読取装置を提供する。    【解決手段】  電子カードが挿着されるための当該カード読取装置には、絶縁主体と、排出機構とがあり、当該絶縁主体内には、摺動空間が形成され、当該排出機構には、摺動部品があり、当該摺動部品が、当該摺動空間内に摺接し、当該摺動部品には、連結板と、第１の摺動件と、第２の摺動件と、があり、当該第１の摺動件と当該第２の摺動件は、夫々、当該連結板の二つの対向辺に係合され、そして、その間にカード収納空間が形成され、当該電子カードは、当該カード収納空間内に挿着され、これにより、当該摺動部品の構造は、バランスがよくなり、また、当該摺動部品と当該電子カードとの間の作用力は、より均一的である。【選択図】図３
0003109588.tif 000002
【実用新案登録請求の範囲】
【請求項１】
電子カードが挿着されるカード読取装置であって、
内部に摺動空間が形成される、絶縁主体と、
摺動部品があり、当該摺動部品が、当該摺動空間内に摺接し、当該摺動部品に、連結板と、第１の摺動件と、第２の摺動件とがあり、当該第１の摺動件と当該第２の摺動件が、夫々、当該連結板の二つの対向辺に係合され、そして、その間にカード収納空間が形成され、当該電子カードが、当該カード収納空間内に挿着される排出機構と、があることを特徴とするカード読取装置。
【請求項２】
当該摺動部品の連結板の二つの対向辺の先端と後端は、夫々、係合件が設けられ、当該摺動部品の第１の摺動件の先端と後端、かつ当該第２の摺動件の先端と後端には、夫々、係合ブロックが設けられ、各係合ブロックは、夫々、各係合件内に係合されることを特徴とする請求項１に記載のカード読取装置。
【請求項３】
当該摺動部品の連結板の二つの対向辺の先端と後端には、夫々、挿入シートが設けられ、各挿入シートは、夫々、各係合件に隣接し、当該摺動部品の第１の摺動件の先端と後端、かつ当該第２の摺動件の先端と後端には、夫々、挿入穴が設けられ、各挿入穴は、夫々、各係合ブロックに隣接し、各挿入シートは、夫々、各挿入穴内に挿着されることを特徴とする請求項２に記載のカード読取装置。
【請求項４】
当該摺動部品の連結板には、複数の位置付け穴が設けられ、当該摺動部品の第１の摺動件と第２の摺動件には、夫々、複数の位置付けブロックが設けられ、各位置付けブロックは、夫々、各位置付け穴内に位置付けられることを特徴とする請求項１に記載のカード読取装置。
【請求項５】
当該摺動部品の連結板の先端には、更に、弾性アームが設けられ、当該摺動部品の第１の摺動件の先端には、更に、欠け口が設けられ、当該弾性アームは、当該欠け口内に収納され、当該弾性アームの自由端は、当該欠け口の先端から突出することを特徴とする請求項１に記載のカード読取装置。
【請求項６】
当該摺動部品の第１の摺動件の先端と第２の摺動件の先端には、夫々、第１の当接部と第２の当接部が設けられ、当該第１の当接部と当該第２の当接部は、夫々、当該カード収納空間内へ延ばすことを特徴とする請求項１に記載のカード読取装置。
【請求項７】
当該絶縁主体には、基板と、第１の側壁と、第２の側壁とがあり、当該第１の側壁と当該第２の側壁は、夫々、当該基板の二つの対向辺に連接され、その間に、当該絶縁主体の摺動空間が形成され、当該カード収納空間は、当該基板と当該摺動部品の連結板との間に位置することを特徴とする請求項１に記載のカード読取装置。
【請求項８】
当該絶縁主体の第１の側壁と第２の側壁に実装される蓋板があり、当該摺動空間は、当該蓋板と当該基板との間に位置し、当該第１の側壁と当該第２の側壁の先端には、夫々、前ストッパーが設けられ、当該第１の側壁と当該第２の側壁の後端には、夫々、後ストッパーが設けられ、当該第１の摺動件と当該第２の摺動件は、夫々、当該第１の側壁と当該第２の側壁の前ストッパーと後ストッパーとの間に位置することを特徴とする請求項７に記載のカード読取装置。
【請求項９】
当該排出機構には、案内棒と二つの弾性件があり、当該摺動部品の第１の摺動件と第２の摺動件の後端には、夫々、収納穴が設けられ、各弾性件の一端は、夫々、各収納穴に収納され、各弾性件のもう一端は、夫々、当該第１の側壁と当該第２の側壁の後ストッパーに当接し、当該第１の側壁の後ストッパーには、軸穴が設けられ、当該第１の摺動件の後端には、トレーシング曲線槽が設けられ、当該案内棒の両端は、夫々、軸着端と案内端であり、当該軸着端は、当該軸穴に軸着され、当該案内端は、当該トレーシング曲線槽内において、動けることを特徴とする請求項８に記載のカード読取装置。
【請求項１０】
当該絶縁主体の第１の側壁と第２の側壁には、複数の組み立て穴が設けられ、当該蓋板には、複数の組み立てシートと、当接シートと、下凸点とが設けられ、各組み立てシートは、夫々、各組み立て穴に実装され、当該当接シートは、当該案内棒に当接し、当該下凸点は、当該案内棒の軸着端に当接することを特徴とする請求項９に記載のカード読取装置。
【請求項１１】
第１の端子組と、第２の端子組と、第３の端子組と、第１の押さえ板と、第２の押さえ板と、裏押さえ板とがあり、当該第１の端子組は、当該絶縁主体の基板の外面に実装され、当該第１の押さえ板は、当該基板の外面に固定され、当該第１の端子組に位置付けられ、当該第２の端子組は、当該絶縁主体の基板の内面に実装され、当該第２の押さえ板は、当該基板の内面に固定され、当該第２の端子組に位置付けられ、当該第３の端子組は、当該絶縁主体の後端に実装され、当該蓋板には、二つの押さえシートが設けられ、当該二つの押さえシートは、当該第３の端子組に当接し、当該絶縁主体の第１の側壁の後端と第２の側壁の後端には、夫々、二つの係合槽が設けられ、当該裏押さえ板の両端には、夫々、二つのフランジが設けられ、各フランジは、夫々、各係止槽に係止され、当該裏押さえ板は、当該第１の端子組と当該第２の端子組と当該第３の端子組の端子のピン部に当接することを特徴とする請求項８に記載のカード読取装置。
【請求項１２】
フックアームと複数の係止穴が設けられる遮蔽枠体があり、当該絶縁主体の第１の側壁と第２の側壁には、夫々、フックと複数の突起が設けられ、当該フックアームは、当該第１の側壁のフックに係止し、各突起は、夫々、各係止穴に係止することを特徴とする請求項７に記載のカード読取装置。
【請求項１３】
当該絶縁主体の基板の二つの対向辺には、夫々、案内槽が設けられ、当該摺動部品の第１の摺動件の底面と第２の摺動件の底面には、夫々、案内ブロックが設けられ、各案内ブロックは、夫々、各案内槽内に摺接することを特徴とする請求項７に記載のカード読取装置。
【考案の詳細な説明】
【技術分野】
【０００１】
本考案は、カード読取装置に関し、特に、挿着された電子カードを押し出して、当該電子カードを排出するものに関する。
【背景技術】
【０００２】
公知のように、電子カードが、携帯電話やパーソナル携帯情報機器或いはディジタルカメラ等の、色々の電子製品に広く応用される。色々の電子製品内には、電子カードが挿着されるための、対応する端子組と電気的に接触するカード読取装置が設けられる。当該カード読取装置には、更に、使用した後、当該電子カードを排出するための排出機能がある。
【０００３】
従来のカード読取装置には、、絶縁主体と排出機構とがあり、当該排出機構には、摺動件と、案内棒と、弾性件とがある。当該摺動件は、絶縁主体内に摺接して、そして、トレーシング曲線槽が設けられる。当該案内棒の両端は、夫々、当該絶縁主体に軸着され、また、当該トレーシング曲線槽内において動けるようになっている。当該弾性件は、当該摺動件と当該絶縁主体との間に位置する。
【０００４】
上記の従来のカード読取装置において、電子カードが当該絶縁主体に挿着される時、当該電子カードの一端の先端だけで、当該摺動件を押すため、当該電子カードの先端において、両端が不均一的になり、これにより、挿着がスムーズではない。当該電子カードを押し直す時、当該弾性件の回復弾力により、当該摺動件が押され、当該電子カードは、一端の先端だけが、当該摺動件によって、押し出されて、当該絶縁主体から排出されるが、当該電子カードの両端の先端に、不均一的であるため、スムースに排出がされることができない。
【０００５】
上記の従来のカード読取装置の欠陥について、カード読取装置に、Ｕ文字形状の摺動件を採用するものが提案されるが、組み立てする時や使用する時、容易に変形するため、当該案内棒の稼働は、不安定的であり、そして、当該排出機構の稼働も、不安定的であり、電子カードの挿着や排出は、スムーズに行えない。
【０００６】
上述のように、上記の従来のカード読取装置は、実用上において、不便と欠陥が存在するため、改善しなければならない。
【０００７】
本発明者は、上記の欠陥が改善可能であるため、慎重に研究して、また、学理に合わせて、設計が合理的で、有効に上記の欠陥を改善する考案を提案する。
【考案の開示】
【考案が解決しようとする課題】
【０００８】
本考案の主な目的は、排出機構の稼働がより安定的になり、電子カードの挿着や排出が、スムーズにできる、カード読取装置を提供する。
【課題を解決するための手段】
【０００９】
上記の目的を達成するため、電子カードが挿着されるためのカード読取装置を提供し、当該カード読取装置には、絶縁主体と排出機構とがあり、当該絶縁主体内には、摺動空間が形成され、当該排出機構には、摺動部品があり、当該摺動部品は、当該摺動空間内に摺接し、当該摺動部品には、連結板と、第１の摺動件と、第２の摺動件とがあり、当該第１の摺動件と当該第２の摺動件は、夫々、当該連結板の二つの対向辺に係合され、そして、その間にカード収納空間が形成され、当該電子カードは、当該カード収納空間内に挿着される。
【００１０】
当該第１の摺動件と当該第２の摺動件は、夫々、当該連結板の二つの対向辺に係合されることにより、当該摺動部品の構造は、バランスがよくなり、そして、当該排出機構の稼働も、より安定的であり、また、当該絶縁主体について、当該電子カードの挿着や排出は、当該摺動部品と当該電子カードとの間の作用力がより均一的であるため、当該電子カードの挿着や排出は、よりスムーズになる。
【考案を実施するための最良の形態】
【００１１】
図面を参照しながら、本考案に係わる技術の特徴や目的及び効果を、以下の実施例により、詳しく説明するが、図面は、ただ、参考用かつ説明用だけであり、本考案は、それによって制限されることがない。
【００１２】
本考案に係わるカード読取装置は、図１乃至図６のように、電子カード（図に表示せず）が挿着されるための装置であり、当該カード読取装置には、絶縁主体１と排出機構２とがあり、本実施例において、第１の端子組３１と、第２の端子組３２と、第３の端子組３３と、第１の押さえ板４１と、第２の押さえ板４２と、裏押さえ板４３と、蓋板５と、遮蔽枠体６とがあり、
絶縁主体１の内には、摺動空間１０１が形成される。本実施例において、当該絶縁主体１には、基板１０と、第１の側壁１１と、第２の側壁１２とがあり、当該第１の側壁１１と当該第２の側壁１２は、夫々、当該基板１０の二つの対向辺に連接され、そして、その間に当該絶縁主体１の摺動空間１０１が形成される。当該基板１０の二つの対向辺には、夫々、案内槽１０５が設けられる。当該第１の側壁１１と当該第２の側壁１２の先端には、夫々、前ストッパー１０２が、当該第１の側壁１１と当該第２の側壁１２の後端には、夫々、後ストッパー１０３が、設けられる。当該第１の側壁１１の後端と当該第２の側壁１２の後端には、夫々、二つの係合槽１０４が設けられる。
【００１３】
排出機構２には、摺動部品２３と、案内棒２４と、二つの弾性件２５とがある。当該摺動部品２３は、当該絶縁主体１の摺動空間１０１内に摺接する。当該摺動部品２３には、連結板２０と、第１の摺動件２１と、第２の摺動件２２とがある。当該連結板２０の二つの対向辺の先端と後端には、夫々、係合件２０１が設けられ、当該第１の摺動件２１の先端と後端、かつ当該第２の摺動件２２の先端と後端には、夫々、係合ブロック２１１、２２１が設けられ、各係合ブロック２１１、２２１は、夫々、各係合件２０１内に係合される。また、当該連結板２０の二つの対向辺の先端と後端には、夫々、挿入シート２０２が設けられ、各挿入シート２０２は、夫々、各係合件２０１に隣接し、当該第１の摺動件２１の先端と後端、かつ当該第２の摺動件２２の先端と後端には、夫々、挿入穴２１２、２２２が設けられ、各挿入穴２１２、２２２は、夫々、各係合ブロック２１１、２２１に隣接し、各挿入シート２０２は、夫々、各挿入穴２１２、２２２内に挿着される。これにより、当該第１の摺動件２１と当該第２の摺動件２２は、夫々、当該連結板２０の二つの対向辺に係合され、そして、その間にカード収納空間２０４が形成され、当該第１の摺動件２１と当該第２の摺動件２２は、夫々、当該絶縁主体１の第１の側壁１１と第２の側壁１２の前ストッパー１０２と後ストッパー１０３との間に位置し、当該カード収納空間２０４は、当該絶縁主体１の基板１０と当該連結板２０との間に位置し、また、当該電子カードは、当該カード収納空間２０４内に挿着される。当該第１の摺動件２１と、当該第２の摺動件２２と、当該連結板２０との間の連接には、異なる電子カードが当該カード収納空間２０４内に挿着されるための隙間がある。また、当該連結板２０には、更に、複数の位置付け穴２０３が設けられ、当該第１の摺動件２１と当該第２の摺動件２２には、夫々、複数の位置付けブロック２１３、２２３が設けられ、各位置付けブロック２１３、２２３は、夫々、各位置付け穴２０３内に位置付けられる。これにより、当該連結板２０と、当該第１の摺動件２１と、当該第２の摺動件２２との組み立てが、より簡単的になり、また、当該電子カードが挿着されている時、当該摺動部品２３の安定性が保持される。当該第１の摺動件２１の底面と当該第２の摺動件２２の底面には、夫々、案内ブロック２１４、２２４が設けられ、各案内ブロック２１４、２２４は、夫々、当該絶縁主体１の基板１０の各案内槽１０５内に摺接する。当該第１の摺動件２１の先端と当該第２の摺動件２２の先端には、夫々、第１の当接部２１５と第２の当接部２２５が設けられ、当該第１の当接部２１５と当該第２の当接部２２５が、夫々、当該カード収納空間２０４内へ延ばすことにより、夫々、当該電子カードは、先端の両端が、当該絶縁主体１の摺動空間１０１内に当接挿着され、そして、先端の両端を押して、当該電子カードを、当該摺動空間１０１から排出する。当該連結板２０の先端には、更に、弾性アーム２０５が設けられ、当該第１の摺動件２１の先端には、更に、欠け口２１６が設けられ、当該弾性アーム２０５は、当該欠け口２１６内に収納され、当該弾性アーム２０５の自由端は、当該欠け口２１６の先端から突出して、当該電子カードの側辺に位置する位置付け穴に係止され、例えば、XD（eXtreme Digital）カードの位置付け穴に係止される。当該第１の摺動件２１と当該第２の摺動件２２の後端には、夫々、収納穴２１７、２２７が設けられ、各弾性件２５の一端は、夫々、各収納穴２１７、２２７内に収納され、各弾性件２５のもう一端は、夫々、当該絶縁主体１の第１の側壁１１と第２の側壁１２の後ストッパー１０３に当接する。当該第１の側壁１１の後ストッパー１０３には、軸穴１０６が設けられ、当該第１の摺動件２１の後端には、トレーシング曲線槽２１８が設けられ、当該案内棒２４の両端は、夫々、軸着端２４１と案内端２４２であり、当該軸着端２４１は、当該軸穴１０６に軸着され、当該案内端２４２は、当該トレーシング曲線槽２１８内において、動けるようになっている。
【００１４】
第１の端子組３１は、当該絶縁主体１の基板１０の外面に実装される。
【００１５】
第２の端子組３２は、当該絶縁主体１の基板１０の内面に実装される。
【００１６】
第３の端子組３３は、当該絶縁主体１の後端に実装される。
【００１７】
第１の押さえ板４１は、当該基板１０の外面に固定され、当該第１の端子組３１に位置付けられる。
【００１８】
第２の押さえ板４２は、当該基板１０の内面に固定され、当該第２の端子組３２に位置付けられる。
【００１９】
裏押さえ板４３おいて、両端には、夫々、二つのフランジ４３１が設けられ、各フランジ４３１は、夫々、当該絶縁主体１の第１の側壁１１と第２の側壁１２の各係止槽１０４に係止され、また、当該裏押さえ板４３は、回路基板（図に表示せず）上に溶接されるために、当該第１の端子組３１と、当該第２の端子組３２と当該第３の端子組３３の端子とのピン部に当接する。
【００２０】
蓋板５には、複数の組み立てシート５０と、当接シート５１と、下凸点５２と、二つの押さえシート５３とが設けられる。当該絶縁主体１の第１の側壁１１と第２の側壁１２には、複数の組み立て穴１０７が設けられ、当該蓋板５の各組み立てシート５０は、夫々、各組み立て穴１０７に実装される。これにより、当該蓋板５は、当該絶縁主体１の第１の側壁１１と第２の側壁１２に、実装される。当該摺動空間１０１は、当該蓋板５と当該基板１０との間に位置する。当該当接シート５１は、当該排出機構２の案内棒２４に当接する。当該下凸点５２は、当該排出機構２の案内棒２４の軸着端２４１に当接する。当該二つの押さえシート５３は、当該第３の端子組３３に当接する。
【００２１】
遮蔽枠体６には、フックアーム６０と複数の係止穴６１が、設けられ、当該絶縁主体１の第１の側壁１１と第２の側壁１２には、夫々、フック１０８と複数の突起１０９とが設けられ、当該フックアーム６０は、当該第１の側壁１１のフック１０８に係止し、各突起１０９は、夫々、各係止穴６１に係止する。これにより、当該遮蔽枠体６は、当該絶縁主体１の第１の側壁１１と第２の側壁１２に実装され、そして、当該第１の押さえ板４１の外面に位置する。
【００２２】
電子カードが当該カード収納空間２０４に挿着される時、当該電子カードの先端の両端は、夫々、当該摺動部品２３の第１の摺動件２１の第１の当接部２１５と第２の摺動件２２の第２の当接部２２５を押すことにより、当該摺動部品２３が、当該絶縁主体１の後端へ摺動する。当該排出機構２の案内棒２４の案内端２４２により、当該トレーシング曲線槽２１８にて、動けるように、当該電子カードは、当該絶縁主体１の摺動空間１０１内に挿着され位置付けされ、また、当該第１の端子組３１や当該第２の端子組３２或いは当該第３の端子組３３と、電気的に接触することになる。当該電子カードを押し直すと、当該案内棒２４の案内端２４２により、当該トレーシング曲線槽２１８にて動けるように、そして、当該二つの弾性件２５の回復弾力により、当該第１の摺動件２１の第１の当接部２１５と当該第２の摺動件２２の第２の当接部２２５は、夫々、当該電子カードの先端の両端を押し出して、当該電子カードを当該摺動空間１０１から排出する。当該第１の摺動件２１と当該第２の摺動件２２は、夫々、当該連結板２０の二つの対向辺に係合されるため、当該摺動部品２３の構造は、よりバランスになり、そのため、当該排出機構２の動きは、より安定的であり、当該第１の摺動件２１と当該第２の摺動件２２は、容易に変形することがないため、当該案内棒２４の案内端２４２の動きは、よりスムーズになり、当該絶縁主体１に対して、当該電子カードの挿着や排出を行う時、当該摺動部品２３と当該電子カードとの間の作用力は、より均一的であるため、当該電子カードの挿着や排出は、よりスムーズになる。
【００２３】
図７は、本考案に係わるカード読取装置の他の実施例である。本実施例において、当該第１の端子組３１と当該第２の端子組３２と当該第３の端子組３３の端子のピン部は、湾曲方向が上記の実施例と異なるため、本考案に係わるカード読取装置を回路基板に溶接する時の設計は、より自由的である。
【００２４】
そのため、本考案によれば、カード読取装置は、次のような利点がある。
【００２５】
１、当該第１の摺動件と当該第２の摺動件は、夫々、当該連結板の二つの対向辺に係合されるため、当該摺動部品の構造は、バランスがよくなり、そして、当該排出機構の動きは、より安定的であり、当該絶縁主体に対して、当該電子カードの挿着や排出を行う時、当該摺動部品と当該電子カードとの間の作用力がより均一的になり、そのため、当該電子カードの挿着や排出は、よりスムーズになる。
【００２６】
２、当該第１の摺動件と当該第２の摺動件は、ブロックと挿入穴を係合することにより、夫々、当該連結板の二つの対向辺の係合件と挿入シートに組み立てられ、そして、連接には、隙間があるため、当該カード収納空間内に、異なる電子カードが挿着される時、より便利的であり、また、当該第１の摺動件と当該第２の摺動件の位置付けブロックは、当該連結板の位置付け穴内に位置付けられるため、組み立ては、より簡単的であり、そして、使用する時、より安定的である。
【００２７】
３、当該連結板の弾性アームは、電子カードの位置付け穴に係止されるため、電子カードの挿着は、より安定的である。
【００２８】
以上の陳述のように、本考案は、従来のカード読取装置の諸欠陥を解決でき、産業上の利用性や新鋭性及び進歩性があり、実用新案登録請求の要件に満たすため、法に従って出願する。
【００２９】
本考案は、実施例により、説明されるが、本考案の実用新案登録請求の範囲内に掲示される広義的な精神や観点に従って、変更や修正などの変化により、等価な機能を達成できるものは、本考案の実用新案登録請求の範囲に含まれている。
【図面の簡単な説明】
【００３０】
【図１】本考案に係わるカード読取装置の分解斜視図
【図２】本考案に係わるカード読取装置の絶縁主体と排出機構の分解斜視図
【図３】本考案に係わるカード読取装置の絶縁主体と排出機構の摺動部品の一部の分解斜視図
【図４】本考案に係わるカード読取装置の絶縁主体と排出機構の摺動部品の他の角度の一部の分解斜視図
【図５】本考案に係わるカード読取装置の絶縁主体と排出機構の摺動部品と第１の端子組と第２の端子組との立体組み立て図
【図６】本考案に係わるカード読取装置の絶縁主体と排出機構の摺動部品と第１の端子組と第２の端子組の他の角度の立体組み立て図
【図７】本考案に係わるカード読取装置の他の実施例の分解斜視図
【符号の説明】
【００３１】
１  絶縁主体
１０  基板
１０１  摺動空間
１０２  前ストッパー
１０３  後ストッパー
１０４  係止槽
１０５  案内槽
１０６  軸穴
１０７  組み立て穴
１０８  フック
１０９  突起
１１  第１の側壁
１２  第２の側壁
２  排出機構
２０  連結板
２０１  係合体
２０２  挿入シート
２０３  位置付け穴
２０４  カード収納空間
２０５  弾性アーム
２１  第１の摺動体
２２  第２の摺動体
２１１、２２１  係合ブロック
２１２、２２２  挿入穴
２１３、２２３  位置付けブロック
２１４、２２４  案内ブロック
２１５  第１の当接部
２２５  第２の当接部
２１６  欠け口
２１７、２２７  収納穴
２１８  トレーシング曲線槽
２３  摺動部品
２４  案内棒
２４１  軸着端
２４２  案内端
３１  第１の端子組
３２  第２の端子組
３３  第３の端子組
４１  第１の押さえ板
４２  第２の押さえ板
４３  裏押さえ板
４３１  フランジ
５  蓋板
５０  組み立てシート
５１  当接シート
５２  下凸点
５３  押さえシート
６  遮蔽枠体
６０  フックアーム
６１  係止穴
【図１】
0003109588.tif 000003
【図２】
0003109588.tif 000004
【図３】
0003109588.tif 000005
【図４】
0003109588.tif 000006
【図５】
0003109588.tif 000007
【図６】
0003109588.tif 000008
【図７】
0003109588.tif 000009